(57)【要約】      （修正有）【課題】建築物における開閉式のドアにおいて、ドアから極力突起物を少なくし又は簡素化し、且つ単純に軽く押すだけ、又は引くだけでドアの開閉を可能とするノブの提供。【解決手段】縦方向に長い立方体形状をしたノブ１をドアに埋め込み、ノブ本体の一方向には回転軸２を持ち、回転軸を基点としてドアの両側どちらからでも押す又は引くことが出来、ノブを取り付けたドアから出入りする場合どちら側からでもノブを押すだけ、又は引くだけでドア止めが自動的に引きこまれる凹凸機構を内蔵し、又はラチェット機能と歯車付きカムに連動してドア止めが自動的に引きこまれ、ドアが開く構造として、ノブ本体にはドアの両面からロックが可能となるようロック機構を内蔵した。【選択図】図１
2008190299.tif 000002
【特許請求の範囲】
【請求項１】
縦方向に長い立方体形状をしたドア用ノブ本体の下部には回転軸を持ち、回転軸を基点としてドアの両側どちらからでも押す、又は引くことが出来、ドアが閉まると同時に回転軸を支点として直ちに復元するスプリング機能を持ち、当該ノブを取り付けたドアから出入りする場合、どちら側からでも当該ノブを押すだけ、或いは引くだけでドア止めがはずれ、ドアが開閉する装置であって、ノブ本体にはドアの両面からロックが可能となるようロック機構を内蔵し、ドアから突起物を極力少なくした、シンプルを特徴とするドアの開閉用ノブ。
【請求項２】
ドア用ノブ内部にラチェット機能と歯車付きカムに連動してドア止めが自動的に引きこまれノブを押す又は引く請求項１記載のドアの開閉用ノブ。
【請求項３】
請求項１においてドアが一方向のみに開閉する場合は、上記ノブの上下を逆転して取り付け、ドアが容易に開閉出来るようドアの両側に、ノブに連動した握りを取り付け請求項１と同様押すだけ、又は引くだけでドアの開閉が出来るドアの開閉用ノブ。
【発明の詳細な説明】
【技術分野】
【０００１】本発明は、建築材料の一部である開閉式ドア用ノブに関するもので、通常の丸型回転握り方式のノブや、横フック型ノブなどが一般化する中でデザイン上からも、安全面からもドアからの突起物を極力少なくし、又は極力単純化し、ドアの開閉において、まずノブを回転する手間を省力化したことを特長としたドア用ノブに関するものである。
【背景技術】
【０００２】ビルや一般住居などの全ての建物には人の出入りや荷物の出し入れの為、ドアは必ずあるものですが、特許文献１に開示されているように、従来のドアに取り付けてあるドア開閉用ノブは円形状の回転式ノブや横型フックを回転させてドアを開ける方式がほとんどであり、突起物があることにより衣類の引っ掛けや、開閉に際してはまず握りを回転しドアフックをはずした後、初めてドアの開閉が始まるわけであり、本発明はこれらドアの突起物を極力少なくし、或いは極力単純化し、軽く押すだけ、又は引くだけでロックのはずれはもとよりドアの開閉が同時に行われる利便性を提供するものである。
【特許文献１】特開平７−７１１４３号広報  実用新案開平５−１７０４２号広報
【発明の開示】
【発明が解決しようとする課題】
【０００３】今後わが国でも老齢化が益々進み、従来の回転式ノブではノブを回す事さえ困難となり、且つノブの突起物は衣類の引っ掛けなどにより事故を誘発する可能性も有る為、本発明はかかる問題点に鑑みてなされたもので、ドアから極力突起物を少なくし、又は極力簡素化し且つ単純に軽くドアを押すだけ、又は引くだけで出入りが出来る利便性を提供することである。
【課題を解決するための手段】
【０００４】建築物を利用する場合必ず出入りのドアがありますが、開閉式のドアの場合、従来のノブでは荷物で両手がふさがっている場合や、握る手が水気でノブが滑る場合、又はお年寄りの握力が弱っている場合など、ノブの回転が困難なことがありこれらの問題を解決する為、従来のノブや取っ手の位置に、回転で無く単純に軽く押すだけ、又は引くだけでドアの開閉が可能となるよう、縦方向に長い立方体形状をしたノブをドアに埋め込み、ノブ本体の下部又は上部には回転軸を持ち、回転軸を基点としてドアの両側どちらからでも押す、又は引くことが出来、且つノブ本体又は回転軸には直ちに復元するスプリング機能を持ち、当該ノブを取り付けたドアから出入りする場合、どちら側からでも当該ノブを押すだけ、又は引くだけでノブに内蔵された凸凹機構、又は同機構に代わるラチェット機能と歯車付きカムに連動してドア止めが自動的に引きこまれ、ドアが開閉する構造であり、ノブ本体には当然ドアの両面からロックが可能となるようロック機構を内蔵しドアから極力突起物を少なくし又は極力簡素化した、シンプルを特徴とするドアの開閉用ノブでありノブの材質についてはアルミ製、鉄製、プラスチック製或いは木製など材質を問わない。すなわち、本発明のドア用ノブの構造は、縦方向に長い立方体形状をしたノブをドアに埋め込み、ノブ本体の下部又は上部には回転軸を持ち、回転軸を基点としてドアの両側どちらからでも押す又は引くことが出来、且つ回転軸には直ちに復元するスプリング機能を持ち、当該ノブを取り付けたドアから出入りする場合、どちら側からでも当該ノブを押す又は引くだけでドア止めが自動的に引きこまれる凹凸機能を内蔵したノブ、又はラチェット機能と歯車付きカムが連動してドア止めが自動的に引きこまれることにより、ノブを軽く押す又は引くだけでドアが開く構造であり、ノブ本体には当然ドアの両面からロックが可能となるようロック機構を内蔵し、ドアからは極力突起物少なくし、安全性とシンプルさを特徴とするドアの開閉用ノブ。
【発明の効果】
【０００５】ドア類から極力突起物を少なくし或いは極力単純機構としたことにより、部屋におけるデザイン上のすっきり感はもとより、まず手で回転するという手間を省力化し、高齢化社会における握力低下に対応するとともに、突起物による事故を未然に防ぎ、小児やお年寄りでも安易に簡単に部屋への出入りを可能としたものである。
【発明を実施するための最良の形態】
【０００６】本発明のドア用ノブの構造とその作用機能を図面で説明する。
第一図は、本発明構造の説明図である。
縦方向に長い立方体形状をしたノブ１をドアに埋め込み、ノブ本体の下部には回転軸２を持ち、回転軸を基点としてドアの両側どちらからでも押す又は引くことが出来、且つ回転軸には直ちに復元するスプリング機能３を持ち、当該ノブを取り付けたドアから出入りする場合どちら側からでも当該ノブを押すだけ、又は引くだけでドア止め５が自動的に引きこまれる凹凸機構４を内蔵したノブ、又はラチェットと歯車付が連動してラチェット付きドア止めが自動的に出入りすることにより、ノブを軽く押す或いは引くだけでドアが開閉する構造であり、ノブ本体には当然ドアの両面からロックが可能となるようロック機構を内蔵し、ドアからは極力突起物を少なくし、安全性とシンプルさを特徴とするドアの開閉用ノブ。
【実施例１】
【０００７】実施例によって本発明を説明する。
ノブの構造：第１図の構造
ノブ本体〜約５０ｇの木製で試作する。
歯車〜プラスチック製の既製品を使用
試験用ドア：倉庫のドアに取り付ける。
約１００ｇの板材を削り倉庫のドアに、ロック機構を省略し試作品を取り付けたところ、色彩こそ冴えなかったか、メカ的には非常に巧く作動しすっきりしたドアが出来上がった。
【産業上の利用可能性】
【０００８】以上詳記した様に、本発明のドア用ノブはドア類から極力突起物を少なくし、且つ単純機構としたことにより、部屋におけるデザイン上のすっきり感はもとより、ドアの開閉の為には、まず取っ手を握り回転するという手間を省き、高齢化社会での突起物による事故を未然に防ぎ、小児やお年寄りでも安易に簡単に部屋への入りを可能とし、一秒を争う火災の場合でも押すだけ、或いは引くだけでドアの開閉を可能とし、且つ資源の無駄使いをも省力化したものであり、長い間変化の無かった建築用建具に改革をもたらす物である。
【図面の簡単な説明】
【０００９】
【図１】図１は本発明ドア用ノブの構造の説明図である。
【図２】取付完了図です。
【図３】図３は上面断面図です
【図４】図４は一方は一方向にドアが開く場合の図です
【図１】
2008190299.tif 000003
【図２】
2008190299.tif 000004
【図３】
2008190299.tif 000005
【図４】
2008190299.tif 000006